(57)【要約】【課題】各貨幣類処理機構における駆動部の電源を共通化し、配線を簡素化して、電源スペースを有効利用できるようにするとともに、電源容量の小型化を図り、電源コストを低減させる貨幣類処理装置を提供する。【解決手段】複数の貨幣類処理機構７、８、９を駆動部７ａ、８ａ、９ａにより個々に独立して駆動させ、これら各駆動部を制御部１０により同時に駆動させることなく切換え制御しているので、最大電源容量を有する処理機の駆動に必要な電源容量のみに合わせて設定でき、電源容量を小さくすることができる。各駆動部７ａ、８ａ、９ａは、一つの電源１１にて選択的に駆動させているので、一つの電源コンセントへの接続で電源を供給することができ、電源コンセントを小型化、配線の簡素化、電源スペースの有効利用を図ることができるとともに、電源の共通化により、電源容量の小型化及び電源コストの低減化を図ることができる。【選択図】  図２
2005352846.tif 000002
【特許請求の範囲】
【請求項１】
複数の貨幣類処理機構と、
前記複数の貨幣類処理機構を個々に独立して駆動させる複数の駆動部と、
前記複数の駆動部を同時に駆動させることなく切換え制御する制御部とを備えることを特徴とする貨幣類処理装置。
【請求項２】
前記複数の駆動部は、一つの電源にて選択的に駆動させることを特徴とする請求項１記載の貨幣類処理装置。
【請求項３】
前記一つの電源は、前記駆動部の一つを駆動することのできる電源容量を有することを特徴とする請求項１記載の貨幣類処理装置。
【請求項４】
前記制御部は、前記駆動部から動作許可待ち信号を入力したとき、前記駆動部以外の他の駆動部が動作していないときは動作許可信号を出力することを特徴とする請求項１記載の貨幣類処理装置。
【発明の詳細な説明】
【技術分野】
【０００１】
本発明は、例えば、パチンコ遊技設備に配設される玉貸機、両替機、券売機あるいは精算機等に搭載される貨幣類処理装置に係り、特に、複数の貨幣類処理機構における駆動部の電源共通化により、配線の簡素化、電源スペースの有効利用、電源容量の小型化が図れる貨幣類処理装置に関する。
【背景技術】
【０００２】
パチンコ遊技設備においては、本出願人が先に出願し公開された特許文献１に開示したように、複数台の遊技台を隣接させて列設することにより、遊技島が形成されているとともに、この遊技島の遊技台間には、例えば、台間玉貸機や両替機等が配設されている。
【０００３】
そして、このような台間玉貸機や両替機等には、紙幣、硬貨またはプリペイドカードが投入されると、その投入金額または選択された金額に応じた玉貸しや両替えを、必要に応じ釣銭の払出しと共に行う貨幣類処理装置が搭載されている。
【０００４】
例えば、紙幣両替機に搭載される前記貨幣類処理装置は、投入口から投入される紙幣を取り込み動作させる紙幣取込機（紙幣取込処理機構）や、この紙幣取込機にて取り込まれた紙幣の金額に応じて、排出口から他の紙幣や硬貨に両替えし払出し動作させる紙幣払出機（紙幣払出処理機構）及び硬貨排出機（硬貨排出処理機構）などの複数の貨幣類処理機構から構成されている。
【特許文献１】特開平９−９４３４３号公報（図１）
【発明の開示】
【発明が解決しようとする課題】
【０００５】
しかし、上記した従来の貨幣類処理装置によると、各貨幣類処理機構が、それぞれの駆動部により駆動動作させるようにしているため、各駆動部の電源コードに接続された電源プラグを、個々の電源コンセントにそれぞれ接続して、各駆動部への電源の供給を行うようにすると、複数の電源を要する。
【０００６】
また、一つの電源コンセントに複数の電源プラグを、蛸足配線のように、接続すると、配線が複雑になるばかりでなく、電源コンセント自体が大型化し、遊技島内における電源コンセントの設置スペースも広く取る必要があるため、電源スペースを有効利用することができない。
【０００７】
しかも、このような装置の電源容量は、各貨幣類処理機構の駆動部が全て同時に動作する場合を想定して設定する必要があるため、装置全体の電源容量が大きくなり、電源コストも高くなる。
【０００８】
従って、本発明の目的は、各貨幣類処理機構における駆動部の電源を共通化し、配線を簡素化して、電源スペースの有効利用が図れるようにするとともに、電源容量の小型化を図り、電源コストを低減させることができる貨幣類処理装置を提供する。
【課題を解決するための手段】
【０００９】
本発明は、上記の目的を達成するため、複数の貨幣類処理機構と、これら各貨幣類処理機構を個々に独立して駆動させる駆動部と、これら各駆動部を同時に駆動させることなく切換え制御する制御部とを備える貨幣類処理装置を提供する。
【００１０】
また、本発明は、上記の目的を達成するため、前記各各貨幣類処理機構の駆動部を、一つの電源にて選択的に駆動させるようにする。
【発明の効果】
【００１１】
本発明によれば、装置全体の電源容量が、最大電源容量を有する貨幣類処理機構の駆動に必要な電源容量のみに合わせて設定できるために、装置全体の電源容量を小さくすることができる。また、一つの電源コンセントへの接続で電源を供給することができるために、電源コンセントを小型化できるとともに、配線も簡素化でき、電源スペースを有効利用することができる。
【発明を実施するための最良の形態】
【００１２】
（発明の実施の形態）
以下、本発明の実施の形態を、図面に基づいて詳細に説明する。図１は、本発明の実施の形態に係る貨幣類処理装置を装備したパチンコ遊技設備の全体構成を概略的に示す斜視図である。図２は、貨幣類処理装置を構成する各貨幣類処理機構の一実施形態を概略的に示すブロック図である。図３は、制御部による貨幣類処理装置における駆動動作の制御状態を示すフローチャートである。図４は、制御部による各貨幣類処理機構における駆動部の制御状態を示すフローチャートである。
【００１３】
（実施の形態の構成）
図１に示すように、遊技島は、複数台のパチンコ設備ユニット１を互いに左右に並列させて設置することにより形成している。各々のパチンコ設備ユニット１は、例えば互いに２列に並列させて隣接させて一体化した２台のパチンコ機台（遊技台）２、２からなり、これら互いに隣接するパチンコ機台２，２間の各々の台間には、台間玉貸機３が配置されている。
【００１４】
すなわち、各々の台間玉貸機３は、概略的に説明すると、硬貨投入口または紙幣投入口から投入された２貨または紙幣の投入金額に応じた玉数のパチンコ玉を玉排出口に払出すことにより、玉貸しが行われるようになっているものであり、紙幣投入口からの投入紙幣は、各々の台間玉貸機３内の回収金庫（図示せず）に蓄積されて回収されるようになっている。
【００１５】
また、遊技島の列方向におけるほぼ中央部位には、本発明に係る自動紙幣両替機（紙幣処理装置）４が、互いに隣接するパチンコ設備ユニット１、１間に設置されている。この自動紙幣両替機４は、紙幣投入口４ａから投入された紙幣の投入金額を表示器（表示部）５に点灯表示し、セレクションボタン６による両替紙幣の選択に応じ、紙幣排出口４ｂから払出すようになっている。
【００１６】
そして、前記自動紙幣両替機４は、図２に示すように、紙幣投入口４ａから投入された紙幣を機内に取込み動作させる紙幣取込機（紙幣取込処理機構）７と、この紙幣取込機７にて取り込まれた紙幣の金額に応じて、両替紙幣または硬貨を紙幣排出口４ｂから払出し動作させる紙幣払出機（紙幣払出処理機構）８及び硬貨排出機（硬貨排出処理機構）９などの複数の貨幣類処理機構を有し、紙幣取込機７および紙幣払出機８は紙幣処理装置を構成している。これら紙幣取込機７、紙幣払出機８及び硬貨排出機９等の処理機は、それぞれ駆動部７ａ、８ａ及び９ａにより、個々に独立して駆動させるように構成されている。
【００１７】
前記紙幣取込機７、紙幣払出機８及び硬貨排出機９の各駆動部７ａ、８ａ、９ａは、前記表示器５及びセレクションボタン６を点灯制御するメインコントローラ（制御部）１０により、同時に駆動させることなく切換え制御し、選択的に駆動動作させるようになっている。また、前記各駆動部７ａ、８ａ、９ａ及びメインコントローラ１０は、一つのＤＣ電源１１に共通させて接続している。
【００１８】
すなわち、前記自動紙幣両替機４は、図３のフローチャートで示すように、待機中において（ステップ１、以下、これをＳＴ１と略記する）、駆動に伴う動作を行う場合、メインコントローラ１０に駆動部動作許可待ち信号が送信される（ＳＴ２）。
【００１９】
そして、前記自動紙幣両替機４は、メインコントローラ１０からの動作許可信号を受信すると（ＳＴ３）、各処理機７、８、９における駆動部７ａ、８ａ、９ａの動作を可能にしている（ＳＴ４）。
【００２０】
一方、前記メインコントローラ１０は、図４のフローチャートで示すように、自動紙幣両替機４からの駆動部動作許可待ち信号を受信すると（ＳＴ５）、どの処理機かを判定し（ＳＴ６）、動作許可か否かを判断する（ＳＴ７）。
【００２１】
このＳＴ７で該当する処理機（例えば、紙幣取込機７）の動作許可の判断がなされると、紙幣取込機７に駆動部動作許可信号を送信する（ＳＴ８）。紙幣取込機７は、駆動部動作許可信号に基づいて動作する。紙幣取込機７は、他の処理機８、９からの駆動部動作許可待ち信号が送信されるまで駆動される。
【００２２】
（実施の形態の効果）
本発明の実施の形態によると、以下の効果が得られる。
（１）自動紙幣両替機４における紙幣取込機７、紙幣払出機８及び硬貨排出機９の各駆動部７ａ、８ａ、９ａにより個々に独立して駆動させるとともに、これら各駆動部７ａ、８ａ、９ａを、メインコントローラ１０により、同時に駆動させることなく切換え制御するために、装置全体の電源容量が、最大電源容量を有する処理機の駆動に必要な電源容量のみに合わせて設定でき、装置全体の電源容量を小さくすることができる。
【００２３】
（２）各処理機７、８、９の駆動部７ａ、８ａ、９ａを、一つのＤＣ電源１１にて選択的に駆動させているために、一つの電源コンセントへの接続で電源を供給することができ、電源コンセントを小型化できるとともに、配線も簡素化でき、電源スペースを有効利用することができる。
【００２４】
（３）各処理機７、８、９における駆動部７ａ、８ａ、９ａの電源を共通化させることができるために、電源容量の小型化を図ることができ、電源コストを低減させることができる。
【００２５】
なお、本発明の貨幣類処理装置は、パチンコ設備における自動紙幣両替機の他に、金融機関におけるＡＴＭ等の用途にも適用できる。また、本実施形態において、制御部からの各貨幣類処理機構における駆動部への動作指令制御を、無線通信装置で行うようにすれば、制御部と各貨幣類処理機構における駆動部との配線を不要にすることができる。
【図面の簡単な説明】
【００２６】
【図１】本発明の実施の形態に係る貨幣類処理装置を装備したパチンコ遊技設備の全体構成を概略的に示す斜視図である。
【図２】貨幣類処理装置を構成する各貨幣類処理機構の一実施形態を概略的に示すブロック図である。
【図３】制御部による貨幣類処理装置における駆動動作の制御状態を示すフローチャートである。
【図４】制御部による各貨幣類処理機構における駆動部の制御状態を示すフローチャートである。
【符号の説明】
【００２７】
１：遊技島
２：遊技台
３：台間玉貸機
４：自動紙幣両替機（貨幣類処理装置）
４ａ：紙幣投入口
４ｂ：紙幣排出口
５：表示器（表示部）
６：セレクションボタン
７：紙幣取込機（紙幣取込み処理機構）
７ａ：駆動部
８：紙幣払出機（紙幣払出処理機構）
８ａ：駆動部
９：硬貨排出機（硬貨排出処理機構）
９ａ：駆動部
１０：メインコントローラ（制御部）
１１：ＤＣ電源
【図１】
2005352846.tif 000003
【図２】
2005352846.tif 000004
【図３】
2005352846.tif 000005
【図４】
2005352846.tif 000006